(57)【特許請求の範囲】
【請求項１】
低温側のＡ流体が通過する複数の通路と、高温側のＢ流体が通過する複数の通路とを交互に並列して形成し、Ａ流体が通過する通路の流体流れ方向とＢ流体が通過する通路の流体流れ方向を互いに逆方向にして各通路で均一的に熱交換を行う複数のパスを有し、この複数のパスを並列して直列に連結して、直列方向片端の最終パスにＡ流体の出口とＢ流体の入口を設け、直列方向他端のパスにＡ流体の入口とＢ流体の出口を設けた多パス編成のプレート式熱交換器において、
前記最終パスを、Ａ流体が通過する複数の通路と、この通路より１つ多いＢ流体が通過する複数の通路とを交互に並列して形成し、Ａ流体が通過する各々の通路の両側を、Ｂ流体が通過する通路によりそれぞれ包み込み、かつ、前記最終パスとそれと隣接するパスとの間に仕切板を設け、最終パスを仕切板で隣接するパスから熱的に遮断したことを特徴とするプレート式熱交換器。
【請求項２】
最終パスとそれと隣接するパスとの間に捨て通路を設け、最終パスを捨て通路で隣接するパスから熱的に遮断したことを特徴とする請求項１のプレート式熱交換器。
【発明の詳細な説明】
【０００１】
【産業上の利用分野】
本発明は、熱交換を行う複数のパスを有する多パス編成のプレート式熱交換器に関するものである。
【０００２】
【従来の技術】
一般に、プレート式熱交換器では、扱う流体の温度変化が大きい場合、流体が複数のパスで熱交換を行う構成となっている所謂多パス編成を採用している。
【０００３】
図４は多パス編成のプレート式熱交換器の模式図であり、この図示例の場合、低温側（被熱源側）のＡ流体と高温側（熱源側）のＢ流体との熱交換が、第１パス（Ｉ）と第２パス（ＩＩ）で行われ、Ａ流体の出口温度を管理するようになっている。
【０００４】
図４において、実線はＡ流体の流れを示し、点線はＢ流体の流れを示す。また、（１ａ）〜（８ａ）はＡ流体の通路を示し、（１ｂ）〜（８ｂ）はＢ流体の通路を示す。
【０００５】
上記プレート式熱交換器は、Ａ流体の通路（１ａ）〜（４ａ）とＢ流体の通路（１ｂ）〜（４ｂ）を交互に並列してなる４＋４並列の第１パス（Ｉ）と、Ａ流体の通路（５ａ）〜（８ａ）とＢ流体の通路（５ｂ）〜（８ｂ）を交互に並列してなる４＋４並列の第２パス（ＩＩ）とを直列に連結した２パスの状態に編成されており、Ａ流体は第１パス（Ｉ）で通路（１ａ）〜（４ａ）を通過する際に、通路（１ｂ）〜（５ｂ）を通過するＢ流体により先ず昇温され、第２パス（ＩＩ）で通路（５ａ）〜（８ａ）を通過する際に、通路（５ｂ）〜（８ｂ）を通過するＢ流体により最終昇温される。
【０００６】
【発明が解決しようとする課題】
上記多パス編成のプレート式熱交換器において、第２パス（ＩＩ）のＡ流体の通路（５ａ）〜（８ａ）のうち、３つの通路（５ａ）（６ａ）（７ａ）は両側をＢ流体の通路（５ｂ）（６ｂ）（７ｂ）（８ｂ）によりそれぞれ包み込まれているが、図中右端の出口側の通路（８ａ）は片側のみであるため、通路（８ａ）を通過するＡ流体の温度上昇は、通路（５ａ）（６ａ）（７ａ）を通過するＡ流体より著しく小さくなる。従って、通路（８ａ）を通過するＡ流体は、通路（５ａ）（６ａ）（７ａ）を通過するＡ流体の出口温度よりも低い出口温度となる。
【０００７】
そのため、通路（８ａ）を通過するＡ流体を所定温度まで昇温させるためには、熱源側のＢ流体の入口温度を大きく上昇させなければならない。ところが、熱源側のＢ流体の入口温度を大きく上昇させることにより、通路（５ａ）（６ａ）（７ａ）を通過するＡ流体は過剰な温度上昇となって品質などの低下を招く結果となる。
【０００８】
それを避けるために通常、熱交換器を出た後、Ａ流体をミキシングしたり、温度の均一化を図るためにホールドタンク、ホールドパイプ等でＡ流体をホールドする工程が設けられている。しかし、これらの後工程が設けられても、プレート式熱交換器の内部での温度バラツキが大きい場合には、完全な温度の均一化は難しい。
【０００９】
本発明は上記の如き問題に鑑みてなされたもので、熱交換器出口部における温度管理する側の流体の温度バラツキをなくしたプレート式熱交換器を提供することを目的とする。
【００１０】
【課題を解決するための手段】
本発明は上記目的を達成するため、低温側のＡ流体が通過する複数の通路と、高温側のＢ流体が通過する複数の通路とを交互に並列して形成し、Ａ流体が通過する通路の流体流れ方向とＢ流体が通過する通路の流体流れ方向を互いに逆方向にして各通路で均一的に熱交換を行う複数のパスを有し、この複数のパスを並列して直列に連結して、直列方向片端の最終パスにＡ流体の出口とＢ流体の入口を設け、直列方向他端のパスにＡ流体の入口とＢ流体の出口を設けた多パス編成のプレート式熱交換器において、前記最終パスを、Ａ流体が通過する複数の通路と、この通路より１つ多いＢ流体が通過する複数の通路とを交互に並列して形成し、Ａ流体が通過する各々の通路の両側を、Ｂ流体が通過する通路によりそれぞれ包み込み、かつ、前記最終パスとそれと隣接するパスとの間に仕切板を設け、最終パスを仕切板で隣接するパスから熱的に遮断したものである。
【００１１】
【作用】
本発明によれば、最終パスの温度管理する流体が通過する各々の通路の両側を、他方の流体が通過する通路によりそれぞれ包み込んだことにより、最終パスの温度管理する流体の出口温度がより均一となり、熱交換器出口部における温度管理する側の流体の温度バラツキが少なくなる。
【００１２】
【実施例】
以下、本発明のプレート式熱交換器を図面に基づいて説明する。
【００１３】
図１は本発明の第１実施例の前提例を示すものであり、図４に示す従来例と同一符号は同一部材乃至同一部分を示し、重複する事項の説明を省略する。
【００１４】
本発明のプレート式熱交換器は、図１に示すように、Ａ流体の通路（１ａ）〜（４ａ）とＢ流体の通路（１ｂ）〜（４ｂ）を交互に並列してなる４＋４並列の第１パス（Ｉ）と、Ａ流体の通路（５ａ）〜（８ａ）とＢ流体の通路（５ｂ）〜（９ｂ）を交互に並列してなる４＋５並列の第２パス（ＩＩ）とを直列に連結した２パスの状態に編成されており、Ａ流体は第１パス（Ｉ）で通路（１ａ）〜（４ａ）を通過する際に、通路（１ｂ）〜（５ｂ）を通過するＢ流体により先ず昇温され、第２パス（ＩＩ）で通路（５ａ）〜（８ａ）を通過する際に、通路（５ｂ）〜（９ｂ）を通過するＢ流体により最終昇温される。
【００１５】
本発明のプレート式熱交換器によれば、第２パス（ＩＩ）のＡ流体の出口側の通路（８ａ）の両側がＢ流体の通路（８ｂ）（９ｂ）に包み込まれているため、通路（８ａ）を通過するＡ流体の温度上昇は通路（５ａ）（６ａ）（７ａ）を通過するＡ流体に近づくこととなる。従って、第２パス（ＩＩ）の通路（５ａ）（６ａ）（７ａ）（８ａ）を通過するＡ流体の出口温度はより均一になり、熱交換器出口部におけるＡ流体の温度のバラツキが少なくなる。
【００１６】
図２は本発明の第１実施例を示すもので、図１に示す実施例の第１パス（Ｉ）の図中右端のＡ流体の通路（４ａ）と、第２パス（ＩＩ）の図中左端のＢ流体の通路（５ｂ）との仕切板（10）を設け、第２パス（ＩＩ）を仕切板（10）で第１パス（Ｉ）から遮断している。このようにすれば、第２パス（ＩＩ）は第１パスからの温度影響を受けなくなり、熱交換器出口部におけるＡ流体の温度のバラツキがより少なくなる。
【００１７】
図３は本発明の第２実施例を示すもので、図２に示す実施例の仕切板（10）の代わりに流体の流れないＡ流体の捨て通路（11ａ）とＢ流体の捨て通路（11ｂ）を形成したもので、図２に示す実施例の仕切板（10）と同様の効果を達成することができる。
【００１８】
なお、上記実施例では２パスの状態で編成された多パス編成のプレート式熱交換器について述べているが、本発明は２パス以上の状態で編成された多パス編成のプレート式熱交換器に適用できることは云うまでもない。但し、２パス以上の状態で編成された多パス編成のプレート式熱交換器に適用する場合は、最終パスのＡ流体の出口側の通路をＢ流体の通路で包み込む。また、上記実施例では最終パス、即ち、第２パス（ＩＩ）のＡ流体の通路とＢ流体の通路を４＋５並列にしているが、４＋５並列以外でも良い。
【００１９】
【発明の効果】
以上説明したように、本発明は最終パスの温度管理する側の流体が通過する複数の通路の両側を、他方の流体が通過する複数の通路によりそれぞれ包み込ませたから、最終パスの複数の通路を通過する温度管理する側の流体の出口温度がより均一となり、熱交換器出口部における温度管理する側の流体の温度バラツキが少なくなり、ミキシングやホールドタンク、ホールドパイプ等の後工程を省略することができる。
【００２０】
また、最終パスとそれと隣接するパスとの間に仕切板または捨て通路を設け、最終パスをそれと隣接するパスから仕切板または捨て通路で遮断したから、最終パスはそれと隣接するパスからの温度影響を受けなくなり、熱交換器出口部における温度管理をする流体の温度バラツキがより生じなくなる。
【図面の簡単な説明】
【図１】  本発明のプレート式熱交換器の第１実施例の前提例の模式図である。
【図２】  本発明のプレート式熱交換器の第１実施例の模式図である。
【図３】  本発明のプレート式熱交換器の第２実施例の模式図である。
【図４】  従来の多パス編成のプレート式熱交換器の模式図である。
【符号の説明】
Ｉ    第１パス
ＩＩ    第２（最終）パス
１ａ〜８ａ    Ａ流体（温度管理する側の流体）の通路
２ｂ〜８ｂ    Ｂ流体（他方の流体）の通路
10      仕切板
11ａ    Ａ流体の捨て通路
11ｂ    Ｂ流体の捨て通路
【図１】
0003654668.tif 000002
【図２】
0003654668.tif 000003
【図３】
0003654668.tif 000004
【図４】
0003654668.tif 000005